(57)【特許請求の範囲】
【請求項１】
少なくとも被写体の撮影時に、撮影される前記被写体の撮影情報を送信する第２の通信手段と、
前記被写体を撮影する撮影手段と、
この撮影手段と連動して作動し、前記撮影手段による撮影と同時にまたはこれと前後して前記第２の通信手段に向けて問い合わせ情報を送信すると共に、前記第２の通信手段から送信される前記撮影情報を受信する第１の通信手段と、
前記第２の通信手段から前記第１の通信手段が受信した前記撮影情報と前記撮影手段が撮影した前記被写体の画像の画像データとを関連付けて記憶する記憶手段とを有し、
前記第１の通信手段は、前記問い合わせ情報として電磁エネルギを放射する電磁波放射手段であり、
前記第２の通信手段は、前記電磁波放射手段から放射される電磁エネルギを受けて起動して、前記撮影情報を発信する発信手段であることを特徴とする画像撮影システム。
【請求項２】
前記第２の通信手段は、前記電磁波放射手段を備えることを特徴とする請求項１に記載の画像撮影システム。
【請求項３】
前記撮影手段、前記第１の通信手段および前記記憶手段は、撮影カメラとして一体化されていることを特徴とする請求項１または２に記載の画像撮影システム。
【請求項４】
前記第２の通信手段は、複数であることを特徴とする請求項１〜３のいずれかに記載の画像撮影システム。
【請求項５】
前記第１の通信手段が前記複数の前記第２の通信手段からそれぞれに複数の前記撮影情報を受信した場合に、前記撮影手段が撮影した前記画像の画像データと前記複数の第２の通信手段から受信した前記複数の撮影情報とを関連付けて記憶することを特徴とする請求項４に記載の画像撮影システム。
【請求項６】
前記第２の通信手段は、前記被写体に携帯されるものであることを特徴とする請求項１〜５のいずれかに記載の画像撮影システム。
【請求項７】
前記撮影情報は、前記第２の通信手段に登録された、前記被写体を識別する識別情報を含むことを特徴とする請求項１〜６のいずれかに記載の画像撮影システム。
【請求項８】
請求項１〜７のいずれかに記載の画像撮影システムの前記撮影手段で撮影され、前記記憶手段に記憶された前記画像の画像データと前記撮影情報の中から、前記撮影情報の少なくとも１つに対応する前記画像の画像データを検索する画像検索手段と、
この画像検索手段が検索した前記画像の画像データを処理する画像処理手段とを有することを特徴とする画像処理システム。
【請求項９】
請求項８に記載の画像処理システムであって、
さらに、前記画像撮影システムにおける前記第２の通信手段に記録されている前記撮影情報を読み取る第１の読取手段を有し、
前記画像検索手段は、前記記憶手段に記憶された前記画像の画像データと前記撮影情報の中から、前記第１の読取手段が読み取った前記撮影情報の少なくとも１つに対応する前記画像の画像データを検索することを特徴とする画像処理システム。
【請求項１０】
前記撮影情報の少なくとも１つは、前記被写体を識別する識別情報であることを特徴とする請求項８または９に記載の画像処理システム。
【請求項１１】
請求項８〜１０のいずれかに記載の画像処理システムであって、
さらに、前記画像検索手段が検索した画像を表示する画像表示手段と、
表示された画像から必要な画像を指定する画像指定手段と、
指定された画像を出力する画像出力手段とを有することを特徴とする画像処理システム。
【請求項１２】
前記画像出力手段は、前記指定画像を写真プリントとして出力するプリント出力手段、前記指定画像の画像データを記録した画像データ記録媒体を出力する媒体出力手段および前記指定画像の画像データを通信手段を介して配信する画像配信手段の少なくとも一つであることを特徴とする請求項１１に記載の画像処理システム。
【請求項１３】
請求項１〜７のいずれかに記載の画像撮影システムの１つ以上と、請求項８〜１２のいずれかに記載の画像処理システムの１つ以上とを接続してなることを特徴とする画像提供システム。
【発明の詳細な説明】
【０００１】
【発明の属する技術分野】
本発明は、遊園地あるいはテーマパーク，著名観光スポットなどに設置するのに好適であり、あるいは、団体での旅行や観光、集団での催事や行事などでの撮影やその後のアルバム作製等の画像編集や個人別注文等に好適である画像撮影システム，画像処理システムおよびこれらを接続してなる画像提供システム、ならびに撮影カメラ、画像編集装置、被写体別画像注文用紙および被写体別画像注文方法に関する。
【０００２】
【従来の技術】
従来から、著名観光スポットなどにおいては、いわゆる観光写真屋なる業者が撮影のための背景・小道具などを用意して、撮影を含めたサービスを提供していた。また、近年は、自動撮影機能を有するデジタル撮影プリントシステムが設置されるケースも多くなっている。
【０００３】
従来のデジタル撮影プリントシステムとしては、例えば、いわゆるテーマパークなどのアトラクションの要所に設置され、乗り物が到達したときに自動撮影を行うシステムが知られている。この種のデジタル撮影プリントシステムは、通常の利用者では撮影が不可能な撮影アングルが得られる場所に設置されているものが多く、利用者は、アトラクションの出口で撮影内容をモニタで確認して、気に入った場合には、注文してプリントを購入するというものである。
【０００４】
一方、個人が撮影をする場合を考えると、例えば、遊園地でジェットコースターなど、動きの速い乗り物に乗っている人を撮影するためには、ブレが発生しないように高速シャッターを切ることが必要である。しかし、初心者の場合、ＡＥ（Ａuto Ｅxposure ）カメラに速度優先と絞り優先のモードがあることさえ知らない場合もある。
【０００５】
これに対しては、例えば、特開平７−１３２２５号公報に開示されている技術「撮影モード選択カメラ及びその送信機」が参考になる。この技術は、撮影する場所や被写体に応じて、特定のモードが自動的に設定されるカメラを実現するために、カメラに、所定の区域毎に配設され、各区域に固有の撮影モードを送信する送信機から撮影モードを受信する受信手段と、撮影モードを自動選択する手段とを備えたものであり、いわば、通信手段を介して、初心者でも適正な撮影モードでの撮影を可能としたものである。
【０００６】
一方、修学旅行や社員旅行や視察団による視察旅行やパック旅行などの観光旅行、オリンピックやサッカー、テニス、スキー、Ｆ１などのモータスポーツなどの見学旅行などの団体旅行や、結婚式や法事やお祭りや各種イベントなどの催事や行事などのように集団で行われる事柄の場合、参加者の集合写真や、各人のスナップ写真が多数撮影される。これらの集合写真やスナップ写真を旅行や観光や常時や催事の記念として、これらの写真をいくつか集めて当該団体用の各人に共通なアルバムを作製して各人に配布したり、各人が自分の写っている写真を選んで注文し、個人用のアルバム等を作製するのに用いている。
【０００７】
これらの団体での旅行や観光、集団での催事や行事などで撮影された写真を当該団体用の共通なアルバムの編集作業は、写真業者やアルバム編集者が出力された多数の写真プリントを目視し、撮影シーンや参加者の中で写っている人が極端に偏らないように、判断して必要な枚数の写真プリントを選び出して編集していた。
また、これらの団体での旅行や観光、集団での催事や行事などで撮影された写真は、全て掲示されたり、全てがアルバムに納められて、各人の注文のための閲覧に供されていた。
しかしながら、掲示やアルバムによって閲覧に供されている全ての写真の中から、自分が写っている写真を注文するためには、全ての写真を見る必要があり、写真の数が多い場合には、面倒であるし、時間がかかるという問題があった。
【０００８】
【発明が解決しようとする課題】
近年、大型の遊園地、いわゆるテーマパークが各地に建設されており、ここでも前述のようなデジタル撮影プリントシステムを利用した自動撮影システム導入の要望が強い。ここで問題になるのは、広い会場内に複数のデジタル撮影プリントシステムを配置した場合に、これらのデジタル撮影プリントシステムを利用する顧客が、その都度、プリントのでき上がりをその場で待つことに対する不満を解消することと、撮影シーンが複数ある場合にプリント毎に独立してしまい、これらをまとめた（言い換えれば、利用者の好みに合わせて編集した）プリントにはできないこと、および、デジタル撮影プリントシステム保守の効率を上げることである。
【０００９】
すなわち、従来の装置のように、それぞれが独立した撮影・プリント機能を有するものである場合は、利用者は、装置の各設置場所でプリントのでき上がりを待つ必要があり、煩わしいという問題があった。また、各設置場所毎にプリントを購入する必要があるため、比較して取捨選択することができず、結果的に高価になるという問題や、撮影シーンが複数あるのに、これらを編集して、より楽しめるプリントにできないという問題もあった。さらには、装置の構造が複雑であるため、保守に手間がかかることから、このような装置を多数設置することは得策ではないという問題もあった。
【００１０】
また、前述した団体での旅行や観光、集団での催事や行事などで撮影された写真の団体用アルバムの編集作業は、手間の掛かる面倒な作業であるばかりか、必ずしも、選択された写真に写っている参加者の度数が均等にならず、参加者の不評を買うことがあるという問題があった。
また、個人が団体での旅行や観光、集団での催事や行事などで撮影された写真を注文する場合、掲示やアルバムによって閲覧に供されている全ての写真の中から、自分が写っている写真を選ぶためには、全ての写真を見る必要があり、写真の数が多い場合には、面倒であるし、時間がかかるという問題があった。
【００１１】
本発明の第１の目的は、上記従来技術の問題点、特に従来の自動撮影装置における前述のような問題を解消し、また、上述の送受信機能を応用して、テーマパークのような広い敷地内に多数設置する場合にも有効に機能し得る画像撮影システム，画像処理システムおよびこれらを接続してなるシステムを提供することにある。
本発明の第２の目的は、上記従来技術の問題点を解消し、団体での多数の写真等の画像の中から団体用の各人共通なアルバムの作製や個人的な写真を注文する際にも、作製作業や注文のための写真の選択を、簡便かつ確実に行うことを可能にする撮影カメラ、画像編集装置、被写体別画像注文用紙および被写体別画像注文方法を提供することにある。
【００１２】
【課題を解決するための手段】
上記第１の目的を達成するため、本発明は、少なくとも被写体の撮影時に、撮影される前記被写体の撮影情報を送信する第２の通信手段と、前記被写体を撮影する撮影手段と、この撮影手段と連動して作動し、前記撮影手段による撮影と同時にまたはこれと前後して前記第２の通信手段に向けて問い合わせ情報を送信すると共に、前記第２の通信手段から送信される前記撮影情報を受信する第１の通信手段と、前記第２の通信手段から前記第１の通信手段が受信した前記撮影情報と前記撮影手段が撮影した前記被写体の画像の画像データとを関連付けて記憶する記憶手段とを有し、前記第１の通信手段は、前記問い合わせ情報として電磁エネルギを放射する電磁波放射手段であり、前記第２の通信手段は、前記電磁波放射手段から放射される電磁エネルギを受けて起動して、前記撮影情報を発信する発信手段であることを特徴とする画像撮影システムを提供するものである。
【００１４】
ここで、前記第２の通信手段は、前記電磁波放射手段を備えるのが好ましい。
【００１５】
また、前記撮影手段、前記第１の通信手段および前記記憶手段は、撮影カメラとして一体化されているのが好ましい。
また、前記第２の通信手段は、複数であるのが好ましい。
ここで、前記第１の通信手段が前記複数の前記第２の通信手段からそれぞれに複数の前記撮影情報を受信した場合に、前記撮影手段が撮影した前記画像の画像データと前記複数の第２の通信手段から受信した前記複数の撮影情報とを関連付けて記憶するのが好ましい。
【００１６】
また、前記第２の通信手段は、前記被写体に携帯されるものであるのが好ましい。
また、前記撮影情報は、前記第２の通信手段に登録された、前記被写体を識別する識別情報を含むのが好ましい。
【００１７】
また、本発明は、上記画像撮影システムの前記撮影手段で撮影され、前記記憶手段に記憶された前記画像の画像データと前記撮影情報の中から、前記撮影情報の少なくとも１つに対応する前記画像の画像データを検索する画像検索手段と、この画像検索手段が検索した前記画像の画像データを処理する画像処理手段とを有することを特徴とする画像処理システムを提供するものである。
【００１８】
また、本発明は、上記画像処理システムであって、さらに、前記画像撮影システムにおける前記第２の通信手段に記録されている前記撮影情報を読み取る第１の読取手段を有し、前記画像検索手段は、前記記憶手段に記憶された前記画像の画像データと前記撮影情報の中から、前記第１の読取手段が読み取った前記撮影情報の少なくとも１つに対応する前記画像の画像データを検索することを特徴とする画像処理システムを提供するものである。
ここで、前記撮影情報の少なくとも１つは、前記被写体を識別する識別情報であるのが好ましい。
【００１９】
また、本発明は、上記画像処理システムであって、さらに、前記画像検索手段が検索した画像を表示する画像表示手段と、表示された画像から必要な画像を指定する画像指定手段と、指定された画像を出力する画像出力手段とを有することを特徴とする画像処理システムを提供するものである。
ここで、前記画像出力手段は、前記指定画像を写真プリントとして出力するプリント出力手段、前記指定画像の画像データを記録した画像データ記録媒体を出力する媒体出力手段および前記指定画像の画像データを通信手段を介して配信する画像配信手段の少なくとも一つであるのが好ましい。
【００２０】
また、本発明は、上記画像撮影システムと画像処理システムとを接続して構成されることを特徴とする画像提供システムを提供するものである。
【００２８】
【発明の実施の形態】
本発明に係る画像撮影システム，画像処理システムおよびこれらを接続した画像提供システム、ならびに撮影カメラ、画像編集装置、被写体別画像注文用紙および被写体別画像注文方法を添付の図面に示す好適実施例に基づいて以下に詳細に説明する。
【００２９】
図１（ａ）および（ｂ）は、それぞれ本発明に係る画像撮影システムおよび画像提供システムの一実施例の概要を模式的にに示すブロック図である。
図１（ａ）に示す画像撮影システム１０は、基本的には、利用者の送受信用双方向通信デバイス１２と、デジタルカメラに代表される撮影デバイス１６を含む撮影ユニット１４とが対になって構成されるものである。ここで、撮影ユニット１４は、利用者の撮影を行う撮影デバイス１６と、利用者側の通信デバイス１２と信号の送受信を行うユニット側の送受信用双方向通信デバイス１８と、撮影デバイス１６で撮影した画像の画像データと利用者側の通信デバイス１２から受信した利用者の識別符号や番号（以下、ＩＤ情報ともいう）等の情報とを関連付けて記憶（格納）する画像メモリ２０とを有する。
【００３０】
なお、画像メモリ２０に利用者ＩＤ情報と関連付けて記憶された画像（画像データ）は、ここには図示してはいないが後述する画像処理システム（図２の参照符号２６参照）に入力され、そこで画像処理され、好ましくはその後、例えばプリントや、処理済画像データを格納する画像データ記録媒体等として出力され、あるいは処理済画像データがモニタ表示され、もしくはインターネットなどを介してネット配信される。画像メモリ２０内のＩＤ情報および画像データの画像処理システム２６への入力は、通信回線を介しても良いし、画像メモリ２０を可搬メモリとして撮影ユニット１４から取り外して運搬して画像処理システム２６にセットして読み取るようにしても良い。
【００３１】
図１（ｂ）に示す画像提供システム２２は、複数の通信デバイス１２および複数の撮影ユニット１４ａとを備える撮影システム１０ａと、これらの複数の撮影ユニット１４ａに接続され、撮影装置で取得された画像データおよびＩＤ情報などを記憶するサーバ２４と、サーバ２４に記憶された画像データを処理し、好ましくはプリントなどの画像を出力（プリント出力、媒体出力、モニタ表示、ネット配信等）する画像処理システム２６とを有する。
図示例の画像提供システム２２の撮影システム１０ａは、図１に示す撮影システム１０の撮影ユニット１４の画像メモリ２０を外して、撮影デバイス１６および通信デバイス１８を持つ撮影ユニット１４ａとし、外したメモリをサーバ２４のメモリ２４ａにまとめることでシステム化したことにより、さらに扱いやすい形にした点に特徴を有するものである。なお、この画像提供システム２２に用いられる撮影システム１０ａにおいては、一部または全ての撮影ユニット１４ａを撮影システム１０に用いられる撮影ユニット１４に置き換えても良いし、一部または全ての撮影ユニット１４ａに１ないし数画像分の画像データを一時的に記憶（格納）しておく一時メモリを備えるようにしても良い。
【００３２】
図２は、図１（ａ）および（ｂ）に示す画像提供システム２２の一実施例の具体的構成を示すブロック図である。図２に示す画像提供システム２２は、構成およびタイプの異なる複数の撮影システム１０、１０ａおよび１０ｂと、サーバ２４と、複数の画像処理システム２６とを有する。
ここで、撮影システム１０は、上述したように、送受信用双方向通信デバイス１２と、撮影デバイスであるデジタルカメラ１６ａ、送受信用双方向通信デバイス１８およびデジタルカメラ１６ａの撮影画像を画像データとして記憶する画像メモリ２０を備える撮影ユニット１４とを有する。また、撮影システム１０ａは、上述したように、通信デバイス１２と、デジタルカメラ１６ａおよび通信デバイス１８を備える撮影ユニット１４ａとを有する。撮影システム１０および１０ａは、共に自発的に撮影が行われる撮影システムである。従って、撮影ユニット１４および１４ａは、共に送受信用双方向通信デバイス１２を所有している利用者（顧客）を被写体として自発的に撮影するタイプの撮影ユニットである。
【００３３】
一方、撮影システム１０ｂは、送信用通信デバイス１２ａと、撮影デバイスであるデジタルカメラ１６ａ、受信用通信デバイス１８ａおよびモニタ２８を備える撮影ユニット１４ｂを有するものであり、利用者の意思で撮影が行われる撮影システムである。従って、撮影ユニット１４ｂは、送信用通信デバイス１２ａを所有している利用者が自分の意思で撮影を依頼した時に、利用者またはその関係者を撮影するための利用者指示タイプの撮影ユニットである。
このように、本実施例に係る画像提供システム２２は、このような撮影ユニット１４に加え、２つのタイプの撮影ユニット１４ａと撮影ユニット１４ｂとを、撮影ポイントに応じて、適宜配置して、利用者の所有（所持または携帯）する通信デバイス１２および１２ａとで撮影システム１０、１０ａおよび１０ｂとして構成されるものである。
なお、図示例の画像提供システム２２においては、撮影ユニット１４、撮影ユニット１４ａおよび撮影ユニット１４ｂの３種をそれぞれ複数備えているが、本発明の画像提供システム２２は、これに限定されず、これらの少なくとも１種の撮影ユニットを少なくとも１つ備えていれば良いし、撮影ユニット１４ｂにさらに画像メモリを備える撮影ユニット（図示せず）を少なくとも１つ備えるものであっても良い。
【００３４】
図３に、自発撮影タイプの撮影システム１０の撮影ユニット１４の一実施例の詳細な構成を示す。図３に示す撮影ユニット１４ａにおいて、１６は上述したように撮影用のデジタルカメラ、１８は上述したように撮影時に利用者が所持または携帯する送受信用通信デバイス１２に問い合わせ信号を発し、これに応答して発せられる通信デバイス１２に登録されている利用者ＩＤ等を含む撮影情報を受信するためのユニット側の送受信用通信デバイス、２０は上述したようにデジタルカメラ１６ａで撮影された画像（画像データ）をＩＤ情報と関連付けて記憶（格納）する画像メモリ、３０はデジタルカメラ１６ａで撮影され、画像メモリ２０に記憶された画像（画像データ）に所定の画像処理を施す画像処理部、３２はサーバ２４および画像処理システム２６の少なくとも一方との間の通信回線の制御を行う通信制御部、３４は本撮影システム１０ａおよび撮影ユニット１４ａの全体の制御を行う制御部（ＣＰＵ／メモリ）を示している。なお、デジタルカメラ１６ａの代わりに、他の撮影手段と画像情報記憶手段とを適宜組み合わせて用いてもよいことはいうまでもない。また、画像メモリ２０が可搬メモリの場合には、通信制御部３２は、有していなくても良い。また、通信制御部３２で、通信デバイス１２および１８間の送受信を制御するようにしても良い。
【００３５】
図４に、自発撮影タイプの撮影システム１０ａの撮影ユニット１４ａの一実施例の詳細な構成を示す。図４に示す撮影ユニット１４ａにおいて、１６は上述のデジタルカメラ、１８は利用者の通信デバイス１２との間で問い合わせ信号と撮影情報とを交信する上述のユニット側の送受信用通信デバイス、３０ａはデジタルカメラ１６ａで撮影された画像（画像データ）に所定の画像処理を施す画像処理部、３２は上述の通信制御部、３４ａは本撮影システム１０ａおよび撮影ユニット１４ａの全体の制御を行う制御部（ＣＰＵ／メモリ）を示している。
【００３６】
一方、図５に、利用者指示タイプの撮影システム１０ｂの撮影ユニット１４ｂの一実施例の詳細な構成を示す。図５に示す撮影ユニット１４ｂにおいて、１８は利用者が所持または携帯している送信用通信デバイス１２ａから送信される利用者の撮影依頼の信号を受信するためのユニット側の受信用通信デバイス、１６は上述のデジタルカメラ、３０ｂはデジタルカメラ１６ａで撮影された画像に所定の画像処理を施す画像処理部、２８は画像処理部３０ｂによる画像処理後のデジタルカメラ１６ａの撮影画像を表示するためのモニタ、３２は上述の通信制御部、３４ｂは本撮影システム１０ｂおよび撮影ユニット１４ｂの全体の制御を行う制御部（ＣＰＵ／メモリ）を示している。
なお、図示例の撮影ユニット１４ｂでは、利用者側およびユニット側の通信デバイスとして、それぞれ利用者側の送信用通信デバイス１２ａおよびユニット側の受信用通信デバイス１８ａを用いているが、本発明は、これに限定されず、利用者側の送信用通信デバイス１２ａの代わりに利用者側の送受信用双方向通信デバイス１２を用いても良いし、ユニット側の受信用通信デバイス１８ａの代わりにユニット側の送受信用双方向通信デバイス１８を用いても良い。
【００３７】
これらの撮影システム１０、１０ａおよび１０ｂにおいて、利用者が所持または携帯している送受信機や送信機として用いられる通信デバイス１２および１２ａとしては、少なくとも撮影ユニット１４，１４ａおよび１４ｂの通信デバイス１８および１８ａと必要な情報の交信ができれば、特に制限的ではなく、どのようなものでも良く、例えば、いわゆる小型の携帯可能な通信機でも良いが、好ましくは、ＩＣ定期券として利用されている、非接触型の（無線）ＩＣカードのような、送受信または送信が可能なＩＣカードタイプのものや、電波式商品監視システムの商品監視用タグなどに用いられる送受信または送信可能な電池内蔵型非接触ＩＤカードおよび電磁誘導式（無電源）非接触ＩＤカード等が好適に用い得る。なお、通信デバイス１２，１２ａ，１８および１８ａの具体的構成に付いては、後述する。
なお、上述した撮影ユニット１４，１４ａおよび１４ｂの各画像処理部３０、３０ａおよび３０ｂは、必ずしも設けなくてもよいが、セットアップなどの画像処理を行うのが好ましく、また、それぞれ画像メモリ２０への格納、サーバ２４への格納およびサーバ２４への格納とモニタ２８への表示に適した画像データへの変換などの画像データの処理を行うこともできる。
【００３８】
サーバ２４としては、画像提供システム２２でプリントなどの画像を提供するのに必要または十分な数の画像の画像データをこれに関連するＩＤ情報を含む撮影情報と共に記憶（格納）するのに十分な容量を有する画像メモリ２４ａを有していればどのようなメモリでも良い。
また、画像処理システム２６は、詳細は後述するが、撮影ユニット１４またはサーバ２４から撮影情報とともに画像データを受信し、出力するのに必要な画像を検索して選択し、所要の画像処理を施し、さらに必要に応じて編集し、プリント出力、媒体出力、モニタ表示、ネット配信等の画像出力に応じたフォーマットに変換して、処理済画像が再現された写真プリントをプリント作成部で作成して出力するものである。なお、画像処理システム２６は、プリント出力に加え、あるいはプリント出力の変わりに、処理済画像の画像データが格納された画像データ記憶媒体を出力し、処理済画像をモニタに表示し、または処理済画像データをインターネットを介して配信しても良い。
なお、上述の図３〜図５および後述する図６において、細い矢印は制御信号の流れを、また二重線の太い矢印は画像データやＩＤ情報（ＩＤデータ）等のデータの流れを示している。
【００３９】
また、図１（ｂ）および図２に示す画像処理システム２６は、例えば、利用者との応対窓口を有するセンター内に設置されており、詳細には、図６にその一実施例が例示されるように構成されている。図６に示す画像処理システム２６において、３６は撮影ユニット１４，１４ａ，１４ｂに接続され、画像データ，識別番号（ＩＤ情報）などを含む撮影情報を記憶（格納）するサーバ２４との間の通信回線の制御を行う通信制御部、３８は撮影ユニット１４、１４ａ，１４ｂから送信された画像データの編集，合成などを含め種々の画像処理を行う画像処理部を示している。
【００４０】
また、４０は画像処理部３８で処理された処理済画像データの再現画像の印画紙への焼付け・現像処理を行って利用者に渡す写真プリントを作製するプリント作製部を示している。このプリント作製部４０には、レーザー，ＬＥＤなどで印画紙に焼付・現像するデジタルプリンタ，昇華型プリンタ，インクジェットプリンタなどの公知の各種のプリンタが利用可能である。
なお、図示例の画像処理システム２６は、画像処理部３８で処理された処理済画像データを記録したＭＯ, ＦＤ, スマートメディア、ＺＩＰなどの画像データ記録媒体を出力する媒体出力部４０ａおよび処理済画像データをインターネットなどの通信ネットを介して配信するネット配信部４０ｂをも備えているが、本発明はこれに限定されず、プリント作製部４０、媒体出力部４０ａおよびネット配信部４０ｂのいずれか一つを備えていればよい。
【００４１】
また、４４は利用者の送受信機や送信機などの通信デバイス１２または１２ａをセットし、そこに記録されている識別番号（ＩＤ情報）を含む撮影情報を読み取る撮影情報読取部、４６は撮影情報読取部４４が読み取った撮影情報に含まれる識別番号に対応する画像を検索する画像検索部、４８は画像検索部４６が検索した画像を表示するモニタ、４２はプリントする画像の指定，編集方法の指定などを行うための操作部、５０はこの画像処理システム２６の全体の制御を行う制御部（ＣＰＵ／メモリ）を示している。
【００４２】
図７に、このような画像処理部３８の一実施例の詳細な構成例を示す。図７に示すように、画像処理部３８は、画像前処理部３８ａ，読取画像メモリ（フレームメモリ）３８ｂ，画像加工処理部３８ｃ，合成処理部３８ｄ，Ｄ／Ａ変換器３８ｅおよびテンプレート画像（背景画像）メモリ３８ｆを有する。なお、５０は前述の制御部を構成するＣＰＵ／メモリである。上記テンプレート画像メモリ３８ｆは、この制御部５０のメモリ内に形成してもよい。
【００４３】
画像前処理部３８ａは、サーバ２４から、または撮影ユニット１４から直接受け取った（デジタル）画像データに、必要に応じてオフセット補正，Ｌog変換，シェーディング補正，などの各種の補正処理を施すものである。読取画像メモリ３８ｂは、前処理の終了した画像データを記憶しておくものである。画像加工処理部３８ｃは、上で得られた画像データの濃度ヒストグラムの作成や画像特徴量の算出などを行って、色／階調補正，倍率補正，シャープネス補正などの画像処理条件を設定する。
【００４４】
そして、画像加工処理部３８ｃは、設定された画像処理条件に応じて、画像データに画像処理を施すものである。この画像加工処理部３８ｃで行われる画像処理としては、必要に応じて、画像の縦横の回転または反転，画像の色および／または階調の補正が行われ、次に、設定された倍率に応じて、画像の拡大／縮小処理が行われ、次いで、アンシャープネスマスクなどによるシャープネス処理（鮮鋭化処理）などが施される。
【００４５】
画像加工処理部３８ｃにおいて処理された画像は、必要に応じて、後段の合成処理部３８ｄでテンプレート画像と合成された後に、合成画像としてモニタ４８に表示される。
ここで、合成されるテンプレート画像は、操作部４２からの利用者による指定（選択）に基づいて、テンプレート画像メモリ３８ｆから読み出されるものである。
【００４６】
上記テンプレート画像メモリ３８ｆ内には、各種の記念撮影用の背景画像（台紙画像とも呼ばれる）のデジタル画像データや、複数種類の定型文字や定型文のビットマップ画像データが記憶されている。これらのデータは、前述のように、利用者が操作部４２で指定することにより、制御部５０によって上記テンプレート画像メモリ３８ｆから読み出される。
【００４７】
ところで、図３〜図５に示す撮影ユニット１４、１４ａおよび１４ｂ内のデジタルカメラ１６ａは、いわゆるメガピクセル級以上のデジタルカメラであることが好ましく、またオート露出制御（ＡＥ）機能、オートフォーカス（ＡＦ）機能、リモートコントロール撮影機能、さらには、オートホワイトバランス（ＡＷＢ）機能などのデジタルカメラ特有の機能を備えていることが好ましい。また、図５に示す撮影ユニット１４ｂのモニタ２８は、デジタルカメラ１６ａで撮影された画像（正確には、適宜の画像処理が施された後の画像）を表示するためのものであり、必ずしもなくてもよい。
【００４８】
なお、前述したように、画像処理部３０，３０ａおよび３０ｂは必ずしも必要ではないが、画像処理部３０，３０ａおよび３０ｂを設ける場合、ここで、デジタルカメラ１６ａにより撮影された画像に施す画像処理としては、上述した変換処理などに加え、例えば、階調調整処理，濃度調整処理，プリントサイズに合わせるための画素密度変換などの各処理を挙げることができる。
【００４９】
撮影ユニット１４，１４ａおよび１４ｂ内の通信制御部３２および画像処理システム２６内の通信制御部３６は、撮影ユニット１４，１４ａおよび１４ｂとサーバ２４との間、画像処理システム２６とサーバ２４との間およびの撮影ユニット１４と画像処理システム２６との間などにおいて、識別番号（ＩＤ情報）、撮影情報等の各種情報および撮影画像の画像データなどの送受信を制御するものである。
なお、この通信は無線で行ってもよいことはいうまでもない。
【００５０】
具体的には、テーマパーク内などの比較的独立した地域内においては、いわゆるＬＡＮ（Ｌocal  Ａrea Ｎetwork）等を敷設し、これを用いて複数の撮影ユニット１４、１４ａおよび１４ｂ……とサーバ２４と画像処理システム２６（これも複数あってもよい）とを接続することが好ましい。上述の通信制御部３２および３６は、このＬＡＮに接続された各ポイント間における通信を行うための機能を有するものである。
【００５１】
上記の画像処理部３８は、撮影ユニット１４、１４ａおよび１４ｂ内のデジタルカメラ１６ａによって取得された画像データ（もしくはこの画像データを前述の画像処理部３０、３０ｂ，３０ａにおいて画像処理した結果の画像データ）から画像処理条件を設定して、設定した条件に応じた画像処理を上記画像データに施し、画像記録のための出力画像データとし、必要によりさらにその編集，合成を行って、プリント作製部４０に送る機能を有するものである。
【００５２】
上述の画像処理としては、一般的に、色バランス調整，コントラスト補正（階調処理），明るさ補正，覆い焼き処理（濃度ダイナミックレンジの圧縮／伸張），彩度補正，シャープネス（鮮鋭化）処理，ストロボ撮影時における赤目補正処理などが行われる。これらの処理は、演算式による演算，ＬＵＴ（ルックアップテーブル）による処理演算，マトリクス（ＭＴＸ）演算，フィルタによる処理演算などを適宜組み合わせて行われる。
【００５３】
本実施例に係る画像提供システムにおいては、利用者は、テーマパークに入場する際に、それぞれに異なる識別番号（ＩＤ情報）を含む撮影情報が登録された送受信機や送信機（すなわち、前述の通信デバイス１２、１２ａ）を受け取る。この識別番号は、本実施例に係る画像提供システムを含む諸施設を利用する際に用いられるものである。
ここで、識別番号（ＩＤ情報）は、利用者に供給される通信デバイス毎に異なっていても良いが、家族、恋人同士などのペア、仲間などのグル−プ内では、同じＩＤ情報が付与されるようにしても良いし、好ましくは、一つのグループ内ではＩＤ情報の一部を共通として、残りの一部で個々の利用者が識別できるようにしておくのが好ましい。こうすることにより、利用者個人が写っていない写真画像であっても、グループ内他の利用者や、家族内の子供などが写っている写真を得ることができる。
【００５４】
次に、本発明の画像撮影システムおよび画像提供システムに用いられる通信デバイス１２，１２ａ，１８および１８ａについて、より詳細に説明する。
まず、図８は、送受信用双方向通信デバイス１２および１８を組み込んだ撮影システム１０ｃの一実施例の回路構成のブロック図を示す。
同図に示すように、撮影システム１０ｃは、送受信用双方向通信デバイス１２として機能するＩＤカード１２ｂと、撮影ユニット１４として機能する撮影カメラ１４ｃとを有する。
【００５５】
この撮影カメラ１４ｃは、送受信用双方向通信デバイス１８と、デジタルカメラなどの撮影デバイスからなる撮影部１６ｂと、画像メモリなどからなる記憶部２０ａと、通信デバイス１８、撮影部１６ｂおよび記憶部２０ａを制御する制御部５２とを有する。そして、通信デバイス１８は、問い合わせ情報等の送信データを変調する変調部５４と、変調部５４で変調された変調送信データをＩＤカード１２ｂに送信すると共にＩＤカード１２ｂから送信されるＩＤ情報等の変調データを受信する送受信部５６およびアンテナ５６ａと、送受信部５６が受信したＩＤ情報等の変調受信データを復調する復調部５８とを有する。
【００５６】
一方、ＩＤカード１２ｂは、登録されたＩＤ情報等を記憶しておく記憶部６０と、撮影カメラ１４ｃからの問い合わせ情報等に応じて記憶部６０からＩＤ情報等を読み出す制御部６２と、制御部６２から受け取ったＩＤ情報等を変調する変調回路６４と、変調回路６４で変調されたＩＤ情報等の変調送信データを送信すると共に、撮影カメラ１４ｃから送信される問い合わせ情報等変調データを受信する送受信部６６およびアンテナ６６ａと、送受信部６６が受信した問い合わせ情報等の変調受信データを復調する復調回路６８とを有する。
ここで、制御部６２は、記憶部６０、変調回路６４、送受信部６６および復調回路６８を制御する。
【００５７】
このような撮影システム１０ｃにおいて、撮影カメラ１４ｃでは、制御部５２は、問い合わせ情報等を送信データとして変調部５４に送り、変調部５４は、制御部５２から送られた問い合わせ情報等を変調送信データに変調して送受信部５６に送り、送受信部５６は、変調された問い合わせ情報を所定間隔でアンテナ５６ａから発信する。
一方、ＩＤカード１２ｂを持った利用者が、撮影カメラ１４ｃの撮影可能領域に入ると、ＩＤカード１２ｂの送受信部６６が、アンテナ６６ａによって、撮影カメラ１４ｃの送受信部５６のアンテナ５６ａから発信されている変調問い合わせ情報等を受信する。
【００５８】
ＩＤカード１２ｂにおいては、送受信部５６は、アンテナ６６ａによって受信した変調問い合わせ情報等を復調回路６８に送り、復調回路６８は、受け取った変調問い合わせ情報等を復調して問い合わせ情報等として制御部６２に送る。制御部６２は、受け取った撮影カメラ１４ｃからの問い合わせ情報等に応じて、記憶部６０に記憶されている登録ＩＤ情報等を読み出して変調回路６４に送る。変調回路６４は、受け取ったＩＤ情報等を変調して送受信部６６に送り、送受信部６６は、変調されたＩＤ情報等をアンテナ６６ａから撮影カメラ１４ｃに向けて発信する。
【００５９】
撮影カメラ１４ｃにおいて、送受信部５６は、ＩＤカード１２ｂから発信された変調ＩＤ情報等をアンテナ５６ａで受信すると、受信した変調ＩＤ情報等を復調部５８に送り、復調部５８は、送られた変調ＩＤ情報等を復調してＩＤ情報等とし、受信データとして制御部５２に送る。制御部５２は、ＩＤカード１２ｂからのＩＤ情報等を受け取ると、撮影部１６ｂに撮影指示の制御信号を送ると共にＩＤ情報等を保持しておく。撮影指示制御信号を受け取った撮影部１６ｂは、ＩＤカード１２ｂを持った利用者を撮影し、撮影された画像の画像データを制御部５２に送り返す。制御部５２は、受け取った画像データに先に受け取り保持している受信データであるＩＤ情報等を関連付けて記憶部２０ａに記憶させる。
こうして、記憶部２０ａは、利用者のＩＤ情報等と関連付られた画像データを記憶する。
【００６０】
図９に、送信用一方向通信デバイス１２ａおよび受信用一方向通信デバイス１８ａを組み込んだ撮影システム１０ｄの一実施例のブロック図を示す。
なお、図９に示す撮影システム１０ｄは、図８に示す撮影システム１０ｃと、その撮影カメラ１４ｃの送信する問い合わせ情報等をＩＤカード１２ｂが受けてＩＤ情報等を発信する代わりに、撮影カメラ１４ｄが電磁エネルギを持つ電磁波を送受信部７２のコイル７２ａから放射し、ＩＤカード１２ｃが放射された電磁波を送受信部７４のコイル７４ａで受けて誘導電流を発生して電力生成回路７６で電力を生成して、電力がある限り、ＩＤカード１２ｃの各回路を駆動してＩＤ情報等を発信し続ける点で相違する以外は、同様の構成を有するので、同一の構成要素には同一の番号を付し、その説明は、省略する。
【００６１】
図９に示す撮影システム１０ｄは、送信用一方向通信デバイス１２ａとして機能するＩＤカード１２ｃと、受信用一方向通信デバイス１８ａを持つ撮影ユニットとして機能する撮影カメラ１４ｄとを有する。この撮影カメラ１４ｄは、通信デバイス１８ａと、撮影部１６ｂと、記憶部２０ａと、通信デバイス１８ａ、撮影部１６ｂおよび記憶部２０ａを制御する制御部５２ａとを有する。そして、通信デバイス１８ａは、制御部５２ａからの周期信号を受けて、ＩＤカード１２ｃに向けて放射される、電磁エネルギを持つ電磁波を生成するための変調信号を生成する変調部７０と、変調部７０で生成された変調信号を受けて生成した電磁波をＩＤカード１２ｃに向けて放射すると共にＩＤカード１２ｃから送信されるＩＤ情報等の変調データを受信する送受信部７２およびアンテナとしても機能するコイル７２ａと、送受信部７２がコイル７２ａを介して受信したＩＤ情報等の変調受信データを復調する復調部５８とを有する。
【００６２】
ＩＤカード１２ｃは、記憶部６０と、制御部６２ａと、変調回路６４と、変調回路６４で変調されたＩＤ情報等の変調送信データを送信すると共に、撮影カメラ１４ｃから放射された電磁エネルギを持つ電磁波を受けて誘導電流を発生させる送受信部７４およびアンテナとしても機能するコイル７４ａと、コイル７４ａに発生した誘導電流を送受信部７４を介して受け取り、ＩＤカード１２ｃの記憶部６０、制御部６２ａ、変調回路６４および送受信部７４を駆動するための電力を発生する電力生成回路７６とを有する。
ここで、制御部６２ａは、記憶部６０、変調回路６４、送受信部７４および電力生成回路７６を制御する。
【００６３】
このような撮影システム１０ｄおいて、撮影カメラ１４ｄでは、制御部５２ａは、周期信号を変調部７０に送り、変調部７０は、制御部５２ａから送られた周期信号を変調信号に変調して送受信部７２に送り、送受信部７２は、変調信号をコイル７２ａから電磁エネルギを持つ電磁波として放射する。
一方、ＩＤカード１２ｃを持った利用者が、撮影カメラ１４ｄの撮影可能領域に入ると、ＩＤカード１２ｃのコイル７４ａが撮影カメラ１４ｄの送受信部７２のコイル７２ａから放射されている電磁波を受けて誘導電流を発生する。
【００６４】
ＩＤカード１２ｃにおいては、コイル７４ａで発生した誘導電流が送受信部７４を経て電力生成回路７６に流れ、電力生成回路７６は、誘導電流に応じて電力を生成し、ＩＤカード１２ｃの制御部６２ａ，変調回路６４、送受信部および記憶部６０などの各回路を駆動する。起動された制御部６２は、記憶部６０に記憶されている登録ＩＤ情報等を読み出して変調回路６４に送る。変調回路６４は、受け取ったＩＤ情報等を変調して送受信部７４に送り、送受信部７４は、変調されたＩＤ情報等をコイル７４ａから撮影カメラ１４ｄに向けて発信する。なお、電力生成回路７６で生成された電力が、存在している限り、送受信部７４は、変調ＩＤ情報等を撮影カメラ１４ｄに向けて連続して発信する。
【００６５】
撮影カメラ１４ｄにおいて、送受信部７２は、ＩＤカード１２ｃから発信された変調ＩＤ情報等をコイル７２ａで受信すると、受信した変調ＩＤ情報等を復調部５８に送り、復調部５８は、送られた変調ＩＤ情報等を復調してＩＤ情報等とし、受信データとして制御部５２ａに送る。制御部５２ａは、ＩＤカード１２ｃからのＩＤ情報等を受け取ると、撮影カメラ１４ｃの制御部５２と同様に、撮影部１６ｂに撮影指示の制御信号を送り、ＩＤカード１２ｃを持った利用者を撮影し、撮影画像の画像データを送り返す。制御部５２ａは、画像データとＩＤ情報等を関連付けて記憶部２０ａに記憶させる。
こうして、記憶部２０ａは、利用者のＩＤ情報等と関連付られた画像データを記憶する。
【００６６】
なお、上述した画像撮影システム１０ｄは、ＩＤカード１２ｃの電力生成回路７６で生成された電力が存在している限り、ＩＤカード１２ｃから変調ＩＤ情報等が撮影カメラ１４ｄに向けて連続して発信されるものであるが、本発明はこれに限定されず、ＩＤカード１２ｃにおいて電力生成回路７６の代わりに電池を配置し、コイル７２ａおよび７４ａの代わりにアンテナを設け、送受信部７２および７４の代わりにそれぞれ受信部および送信部を設け、変調部７０を外して、ＩＤカード１２ｃから常時変調ＩＤ情報等を発信し、撮影カメラ１４ｄは変調ＩＤ情報等の受信のみを行うようにしても良い。なお、上述した画像撮影システム１０ｃの構成においても、ＩＤカード１２ｂから常時変調ＩＤ情報等を発信し、撮影カメラ１４ｃは変調ＩＤ情報等の受信のみを行うようにしても良いのはもちろんである。
【００６７】
また、これらの画像撮影システム１０ｃおよび１０ｄは、上述した画像撮影システム１０，１０ａおよび１０ｂの代わりに、またはこれらと共に画像提供システム２２に用いることができる。
本発明に係る画像撮影システム、画像処理システムおよびこれらを接続した画像提供システムならびに撮影カメラは、基本的に以上のように構成される。
【００６８】
以下、上述のように構成された、本実施例に係る画像撮影システムおよび画像提供システムの作用を説明する。
まず、図１０に、図２および図５に示す撮影システム１０ｂにおける利用者のの通信デバイス１２ａの操作およびこれに対応する撮影ユニット１４ｂ側の動作に関する撮影動作の一例のフロー図を示す。以下、図２、図５、図６および図１０に基づいて、撮影システム１０ｂにおける撮影動作の一例を説明する。
【００６９】
利用者は、案内により「依頼に応じて撮影を行う撮影ポイント」に到達したことを知ったとき、希望があれば、通信デバイス１２ａを用いて撮影依頼を行う（ステップ６０１）。この撮影依頼は、通信デバイス１２ａを操作し、前述の識別番号等の識別情報を含む撮影情報を発信することにより行う。この撮影情報は、撮影ユニット１４ｂ側の受信用通信デバイス１８ａにより受信される（ステップ６１１）。撮影ユニット１４ｂ側では、受信した情報の中から依頼者（利用者）の識別番号を読み取り（ステップ６１２）、デジタルカメラ１６ａにより依頼者の撮影を行う（ステップ６１３）。なお、デジタルカメラ１６ａによる撮影は、依頼者のみに限定されるわけではなく、依頼者と関係のある人物や動物などを含んでいてもよいし、確認が可能あれば、依頼者が含まれていなくても良い。
【００７０】
そして、撮影ユニット１４ｂでは、撮影した画像をモニタ２８に表示し、利用者に確認を促す（ステップ６１４）。利用者がこれに応じて、画像判定を行い（ステップ６０２）、その結果（指示）を撮影ユニット１４ｂに応答する（ステップ６０３）と、結果がＯＫであれば、撮影ユニット１４ｂは、この画像データと利用者の識別番号その他の情報を含む撮影情報とをサーバ２４に送信する。
【００７１】
なお、利用者が、今回の撮影画像に満足せず、撮影のやり直し（撮り直し）を希望する場合に備えて、撮影ユニット１４ｂを、上述のステップ６１１〜６１５を再実行するように構成してもよい。
（利用者が満足できる）撮影が完了したら（ステップ６１５）、撮影ユニット１４ｂは、この画像データと利用者の識別情報その他の情報を含む撮影情報とをサーバ２４に送信する。
【００７２】
サーバ２４は、受信した画像データと識別番号とを関連付けて記録し、後に、識別番号を検索のキーとして、図６に示す画像処理システム２６内の画像検索部４６が、同一の識別番号が付された画像データを検索し、出力することを可能とする。
【００７３】
これにより、利用者が、後で、センター内に設置されている利用者との応対窓口で、通信デバイス１２または１２ａを介して識別番号を上記センター内の画像処理システム２６に入力し、画像処理システム２６を介して、前述のサーバ２４内に蓄積されている当該撮影ユニット１４ｂから送信された画像を、写真プリントや画像データ記録媒体（画像データ）やネット配信（画像データ）などの形で入手するための準備が完了したことになる。
【００７４】
次に、図１１に、図２および図４に示す撮影システム１０ａにおける利用者の通信デバイス１２の操作およびこれに対応する撮影ユニット１４ａ側の動作に関する撮影動作の一例のフロー図を示す。図２、図４、図６および図１１に基づいて、撮影システム１０ａにおける、利用者（通信デバイス１２）と撮影ユニット１４ａとの間における動作、すなわち、撮影ユニット１４ａからの問い合わせに基づく撮影動作を説明する。
【００７５】
撮影ユニット１４ａにおける動作の特徴は、撮影ユニット１４ｂの設置されているポイントで、撮影ユニット１４ａの通信デバイス１８から利用者の通信デバイス１２に対して撮影情報の問い合わせを行い、これに対して、利用者の通信デバイス１２から撮影情報が撮影ユニット１４ａの通信デバイス１８に送信され、取得（記録）される点にある。なお、この場合の撮影は、撮影ユニット１４ａに予め設定されているタイミングで行われる。
【００７６】
すなわち、撮影ユニット１４ａは、撮影タイミングになったか否かを、例えば、アトラクションの乗り物が所定の撮影ポイントに来たかどうか、というようなことで監視しており（ステップ７１１）、所定の撮影タイミングになった場合には、所定の撮影を行う（ステップ７１７）と共に、通信デバイス１８を用いて、利用者に撮影情報の問い合わせを行う。（ステップ７１２）。
【００７７】
問い合わせを受けた利用者の通信デバイス１２は（ステップ７０１）、直ちに識別番号を含む撮影情報を返信する（ステップ７０２）。この際、もしも、撮影ユニット１４ａからの撮影情報受付信号が返信されなければ、通信デバイス１８は撮影情報の返信を所定回数繰り返す（ステップ７０３）。
【００７８】
撮影ユニット１４ａ、利用者の通信デバイス１２からの応答を監視し（ステップ７１３）、応答があった場合には、その通信内容から利用者の撮影情報を読み取り（ステップ７１４）、利用者の通信デバイス１２に対して、撮影情報受付信号を送信する（ステップ７１５）。この撮影情報受付信号は、受け付けた識別番号を含む信号とすることにより、多数の通信デバイス１２に対して、特定の通信デバイス１２に受付完了を知らせる。なお、一般には、１つの撮影ポイントにおいて、複数の利用者の通信デバイス１２からの応答があるが、撮影ユニット１４ａは、次の利用者の通信デバイス１２からの応答がなくなった時点で、処理を終了する。
【００７９】
撮影ユニット１４ａは、上述の画像データと利用者の識別番号その他の情報を含む撮影情報とをサーバ２４に送信する。サーバ２４は、受信した画像データと識別番号とを関連付けて記録し、前述のように、後に、図６に示す画像処理システム２６内の画像検索部４６が、識別番号を検索のキーとして、同一の識別番号が付された画像データを検索し、出力することを可能とする。
【００８０】
これにより、利用者は、先の場合と同様に、後で、センター内に設置されている利用者との応対窓口で、通信デバイス１２または１２ａを介して撮影情報を上記センター内の画像処理システム２６に入力し、画像処理システム２６を介して、前述のサーバ２４内に蓄積されている当該撮影ユニット１４ａから送信された画像を、プリントなどの形で入手するための準備が完了したことになる。
【００８１】
前述のように、各撮影ユニット１４，１４ａ，１４ｂ，……により、各撮影ポイントで行われた撮影結果の画像データとこれに対応する撮影情報とは、サーバ２４内のメモリ２４ａに蓄積されている。
図１２は、その状況を例示するものであり、ここでは、上記メモリ２４ａ内に、各種撮影情報、すなわち、撮影日時，撮影ポイント（撮影システム番号）毎の撮影番号，撮影条件，利用者情報（通信デバイスの識別番号）などが、撮影時刻順に記憶されている。なお、この配列順序は、これ以外の順序でもよい。
【００８２】
上記撮影ポイント毎の撮影番号は、画像データに対応付けされており、後に説明するように、画像処理システム２６において、上述の撮影情報中の利用者情報をキーとして検索を行い、利用者情報に対応する撮影番号から、目的とする画像データを検索する際に用いられるものである。
【００８３】
図１２において、▲１▼は１人の利用者の携帯する通信デバイスからの利用者情報に基づいて行われた撮影に対応する記録の一例、また、▲２▼は複数の利用者の携帯する通信デバイスからの利用者情報に基づいて行われた撮影に対応する記録の一例である。▲１▼では１つの撮影番号に対応する利用者情報は１つであり、▲２▼では１つの撮影番号に対応する利用者情報は２つになっている。
【００８４】
次に、画像処理システム２６における、利用者と画像処理システム２６との間における動作を説明する。ここでは、画像処理システム２６に付随的に設置されているセンター内の利用者との応対窓口に、受付端末機が配置されているものとして説明を続ける。
【００８５】
利用者が、画像提供システム２２のセンター内の利用者応対窓口に来て、画像処理システム２６の受付端末機（撮影情報読取部４４）に、通信デバイス１２または１２ａをセットする。撮影情報読取部４４は、通信デバイス１２または１２ａに記憶されている撮影情報を読み取ると、画像検索部４６が、この撮影情報に含まれる識別番号に対応する画像を、サーバ２４に蓄積されている画像中から検索する。
【００８６】
次に、画像処理システム２６では、検索された画像をモニタ４８に表示する。この表示方法としては、複数の画像をインデックス形式に表示する方法，システム側で管理している撮影場所を基に、テンプレートを選択してこれと合成した形式で表示する方法など、適宜の方法が用い得る。利用者は、表示された画像を見て、必要な画像，そのフォーマットなどを決めて（選択して）、プリント作製を依頼する。
【００８７】
図１３（ａ）に、表示画像の一例を示す。ここに示すのは、１人の利用者の識別番号に対応する画像を集めたものであり、各撮影ポイントにおける撮影画像を、一覧性を持たせて表示したものである。利用者（ないし、グループの代表者）は、上述のように、表示された画像の取捨選択を行い、また、その配列デザインなどを指定して、プリント作製を依頼する。  画像処理システム２６では、利用者からの依頼に基づいて、必要な画像につきプリント作製部４０を用いてプリントを作製する。
【００８８】
なお、前述のように、グループで入場した場合など、１回の撮影に複数の利用者が参加しているような場合には、撮影ユニット１４ａまたは１４ｂから、画像処理システム２６に対して、撮影を希望した利用者の数に対応するだけの識別番号を入力し、画像処理システム２６において、これらを一括して対応付け処理することも可能である。
【００８９】
これにより、プリント作製時に、例えば、３つの識別番号を入力すれば、これらの３つの識別番号に関連して撮影された画像が表示されるので、必要な画像が選択可能になる。つまり、３人の写真を、１枚のプリントにすることも可能である。この一例を、図１３（ｂ）に示す。
図１３（ｂ）中、１０１，１０２は利用者Ａの識別番号に対応する画像、１０３，１０４は利用者Ｂの識別番号に対応する画像、また、１０５，１０６は利用者Ｃの識別番号に対応する画像を示しており、このような合成画像は、従来は得ることができなかったものである。
【００９０】
なお、以上の説明では、画像処理システム２６における出力形式をプリントとして説明したが、上述したように、媒体出力部４０ａによる画像データ記憶媒体での出力やネット配信部４０ｂによるインターネットなどを介しての画像の配信など、他の出力形式にも対応できることが好ましい。
また、後述するように、その場で直接プリントを依頼せず、識別番号を記録しておいて、後で画像出力を依頼することも可能である。
【００９１】
上記実施例によれば、テーマパークのような広い敷地内に多数の自動撮影装置を設置した場合にも、これらの多数の自動撮影装置がそれぞれ、自律的に撮影を行うので、利用者にとっても便利であり、設置者側にとっては手間のかからない効率的な自動画像提供システムの運営が可能になるという効果が得られる。
【００９２】
なお、上記実施例は本発明の一例を示したものであり、本発明はこれに限定されるべきものではないことは言うまでもない。
例えば、上記実施例においては、撮影ユニット１４ａ，１４ｂなどは撮影画像の記憶手段を特に有しておらず、撮影画像の情報は全てサーバ２４に送信・記憶させるように構成されているが、規模によっては、撮影ユニット１４のように、撮影ユニット１４ａ，１４ｂなどに記憶手段を持たせてもよい。
【００９３】
また、上記実施例においては、利用者が携帯している通信デバイス１２，１２ａ，１２ｂ，１２ｃから撮影ユニット１４，１４ａ，１４ｂ，１４ｃ，１４ｄに送信される撮影情報として、通信デバイス１２，１２ａ，１２ｂ，１２ｃに登録された識別情報を用いる例のみを示したが、これに加えて、通信デバイス１２，１２ａ，１２ｂ，１２ｃを携帯している利用者の属性（氏名，年令，性別など）を含むようにしてもよい。この場合、上述の利用者の属性を、個々のプリントに関連付けて表示するようにしてもよい。
【００９４】
また、例えば利用者が希望する場合には、識別番号を記録した入場券などを、利用者が一旦家庭に持ち帰り、家庭のパソコン（Ｐersonal Ｃomputer ）から、ネットワークを介して上記識別番号を送信することにより、前記サーバ２４に蓄積されている画像を、所望の形式で、また、近隣の写真点など任意の場所において出力するサービスも容易に実現可能である。
【００９５】
上述した画像撮影システム１０，１０ａ，１０ｂ，１０ｃ，１０ｄおよび画像提供システム２２に用いられる撮影ユニット１４，１４ａ，１４ｂおよび撮影カメラ１４ｃ，１４ｄは、遊園地やテーマパークや競技場や催し物会場などの敷地に固定的に設置され、利用者が所持する多数の通信デバイス１２，１２ａおよびＩＤカード１２ｂ、１２ｃとともに大掛かりにシステム化されたものであることを好ましい適用例としているが、本発明はこれに限定されず、撮影ユニットのユニット化された可搬用撮影カメラアセンブリとして機能し、カードタイプの通信デバイスとシステム化されるものであっても良い。例えば、画像撮影システム１０ｃおよび１０ｄのように、撮影カメラ１４ｃおよび１４ｄは可搬用撮影カメラとして適した構成であり、ＩＤカード１２ｂおよび１２ｃは、カードタイプの通信デバイスとして適した構成である。
【００９６】
これらの画像撮影システム１０ｃおよび１０ｄは、団体での旅行や観光、集団での催事や行事（以下、団体旅行で代表させる）等における集合写真や観光写真の撮影およびその後のアルバム編集や個人別の注文シートの作成などに適用することもできる。すなわち、団体旅行等の参加者に、予めＩＤカード１２ｂまたは１２ｃを携帯させておき、撮影カメラ１４ｃまたは１４ｄを携帯して参加者を撮影することにより、画像撮影システム１０ｃまたは１０ｄを構成することができる。なお、ＩＤカード１２ｂや１２ｃに登録されているＩＤ情報にはＩＤ符号や番号のほか、団体旅行や観光、集団での催事や行事を特定する識別情報も含ませておくのが好ましい。
こうすることにより、上述のように、画像撮影システム１０ｃまたは１０ｄにおいて撮影カメラ１４ｃまたは１４ｄによる撮影を行うことができる。
【００９７】
もちろん、このような集合写真や観光写真の撮影においても、撮影カメラ１４ｃや１４ｄを前述の固定タイプの撮影ユニットとして配置しても良いし、撮影ユニット１４，１４ａ、１４ｂを配置し、ＩＤカード１２ｂ、１２ｃや通信デバイス１２、１２ａを参加者に所持または携帯させて、撮影システム１０，１０ａ，１０ｂ等を構成しても良い。
【００９８】
こうして、撮影カメラ１４ｃまたは１４ｄで撮影された複数の被写体の画像の画像データは、当該被写体のＩＤ情報等を含む撮影情報と共に記憶部２０ａに記憶される。また、これらの複数の被写体の画像およびそのＩＤ情報等を含む撮影情報は、撮影ユニット１４の画像メモリ２０やサーバ２４の画像メモリ２４ａに記憶されていても良い。
このような記憶部２０ａや画像メモリ２０や２４ａに記憶されている複数の被写体の画像およびそのＩＤ情報等を含む撮影情報を使って、アルバム作成や個人別（被写体別）の画像注文シート作成のための画像の編集を行うことができる。このような画像の編集を行うための本発明に係る画像編集装置の一実施例を図１４および１５に示す。
【００９９】
図１４に示すように、本発明の画像編集装置８０は、アルバムを作成する際の画像の編集を行うためのアルバム作成装置用の画像編集装置であって、画像メモリ８１と、画像検索部８２と、画像読取部８３と、計数部８４と、画像合成部８５と、画像出力部８６と、表示部８７とを有する。
ここで、画像メモリ８１には、記憶部２０ａや画像メモリ２０や２４ａ等に記憶されている複数の被写体の画像およびそのＩＤ情報等を含む撮影情報が、公知の手段によって、読み出されて記憶されているものである。なお、画像メモリ８１に記憶される画像データは、画像出力に必要な画像処理が施された、いわゆる画像処理済の画像データであるのが好ましい。
【０１００】
画像検索部８２は、ある１つの団体旅行等に関する識別情報や参加者の特定の個人（被写体）のＩＤ情報を用いて、それぞれ画像メモリ８１を検索し、該当した（ヒットした）画像を抽出する。
画像読取部８３は、画像検索部８２で抽出された画像の画像データおよびこれに関連付けられている撮影情報（ＩＤ情報を含む）を画像メモリ８１から読み出す。なお、画像読取部８３は、アルバム作成用に選び出された画像の画像データおよびその撮影情報のみを読み出すものであっても良い。
計数部８４は、アルバム作成用に選び出された複数の画像について、これらの複数の画像に写っている被写体の出現頻度（すなわち撮影度数）を個々の被写体毎に計数する。ここで、計数部８４は、画像編集装置８０の制御部（ＣＰＵ）を兼ねていても良い。
【０１０１】
画像合成部８５は、計数部８４による各被写体（参加者各個人）の撮影度数が均等または略均等である、もしくは予め設定された所定範囲内に入っている時、アルバム作成用に選択され、画像読取部８３で読み出された複数の画像（画像データ）をアルバム用に編集して、例えば、複数の写真画像をアルバムの1 頁にそのまま、あるいは拡大縮小して、もしくはトリミングして合成し、さらに必要があれば、文字やフレーズや文章や線画やキャラクタなどを合成し、アルバムの各頁毎の画像データを作成する。なお、この時、特に、集合写真の場合には、被写体個人の名前を当該画像内もしくはその外側に合成するのが好ましい。
【０１０２】
画像出力部８６は、アルバム用に編集された各頁の画像（画像データ）を全頁に亘ってプリント画像（ハードコピー画像）として出力する。こうして出力されたアルバムの各頁のプリントは全頁分綴じられて、１冊のアルバムとして作成される。なお、画像出力部８６は、アルバムの各頁をハードコピー画像として出力するものに限定されず、アルバムの各頁の画像を含むデータを記録した画像データ記録媒体やインターネットなどの通信手段を介してネット配信するものであっても良い。
表示部８７は、画像検索部８２による検索結果や、画像読取部８３で読み出された画像データの再現画像やその撮影情報（ＩＤ情報など）、計数部８４による計数結果、画像合成部８５によってアルバムの各頁の合成画像等を表示するためのモニタ（ディスプレイ）である。
【０１０３】
本発明のアルバム作成に用いられる画像編集装置は、基本的に、以上のように構成されるが、以下にその作用を説明する。
図１６は、図１４の画像編集装置８０によるアルバム作成のための画像編集方法の１例を示すフロー図である。
まず、図１６のステップ７０１において、画像メモリ８１からアルバム作成の対象となる１つの団体旅行等の全ての画像データおよびそのＩＤデータを含む撮影情報を画像読取部８３に読み込む。この時、画像メモリ８１に記憶されている画像データおよびその撮影情報が、複数の団体旅行等の撮影画像のものである場合には、当該団体旅行等を表す撮影情報の一部を使って画像検索部８２で検索して、当該団体旅行等の撮影画像の分だけを抽出し、抽出された撮影画像の画像データおよびその撮影情報を画像読取部８３で読み出すのが好ましい。なお、集合写真画像に関連付けられている撮影情報には、複数の被写体ＩＤデータが含まれている。
【０１０４】
次に、ステップ７０２で、画像読取部８３に読み込まれた全ての画像データの再現撮影画像が表示部８７に画像表示される。ステップ７０３で、オペレータによって、表示された全撮影画像の中から、アルバム作成に用いられる画像が選択される。この時、アルバム用に選び出し易いように、複数の撮影画像を縮小して１画面に表示し、選び出した個々の撮影画像を確認するために拡大表示できるようにしておくのが好ましい。こうして、アルバム作成に必要な枚数のアルバム用画像が選択される。
この後、アルバム作成用に選択された画像の撮影情報が計数部８４に送られ、ステップ７０４で、計数部８４で当該画像の撮影情報に含まれている複数の被写体ＩＤデータがカウント（計数）され、アルバム用の全画像について各被写体毎に登場回数（出現頻度）が計数され、被写体個人別の登場回数（撮影度数）が算出される。続いて、算出された個人別の登場回数が表示部８７に表示される。
【０１０５】
次に、ステップ７０５で、複数の被写体についての個人別の登場回数の表示から、オペレータによって登場回数の極端なバラツキがないかどうか判断される。個人別の登場回数は、均等もしくは略均等であるのが好ましいが、極端なバラツキがなければアルバム用画像として用いるのが良い。なお、登場回数のバラツキの許容範囲は、予め設定しておくのが好ましい。
判断の結果、登場回数の極端なバラツキがある場合には（Ｙ）、最初のステップ７０１に戻り、画像読取部８１による画像データおよびその撮影情報の読み込み、ステップ７０２の表示部８７への画像表示、ステップ７０３のアルバム用画像の選択、ステップ７０４の計数部８４による個人別登場回数のカウントおよびその結果の表示部８７への表示およびステップ７０５の個人別登場回数のバラツキの判断を行う。ステップ７０５で極端なバラツキがないという判断結果になるまで、ステップ７０１〜７０５を繰り返す。なお、この時、登場回数の少ない被写体のＩＤ番号を使って、当該被写体の写っている画像を画像検索部８２で検索して、全て抽出し、画像読取部８３で読み出して、表示部８７に表示することにより、アルバム用画像を登場回数が平均化されるような選択を容易かつ確実にすることができる。
【０１０６】
一方、ステップ７０５における判断の結果、登場回数の極端なバラツキがなければ（Ｎ）、次の画像編集のステップ７０６に進み、画像合成部８５で、アルバム用に選択された複数の画像をそのまま、もしくは拡大縮小あるいはトリミング等の加工をして、アルバムの各頁に割り付け、あるいは１頁に合成して、さらに必要に応じて、文字やフレーズや文章や線画やキャラクタなどを合成し、特に、集合写真の場合には、被写体個人の名前を当該画像内もしくはその外側に合成して、アルバムの各頁毎の画像データを１冊分作成する。この時、各頁の画像を表示部８７に表示して、オペレータが確認できるようにしておくのが好ましい。
【０１０７】
最後に、ステップ７０７でアルバム１冊分の各頁の画像を含むデータを画像出力部８６に出力する。なお、アルバム用選択画像やその加工画像や合成画像と、文字や線画などのデータとは、別々に出力するために、作成しておいても良い。
こうして、図１４に示す画像編集装置８０によるアルバム作成用の画像編集方法は、終了する。次いで、画像出力部８６では、アルバムの各頁のプリント画像の出力がなされ、全頁が１冊に綴じられて、１冊のアルバムが作成される。こうして作成された１冊のアルバム内の写真画像に写っている被写体の出現頻度は平均化されており、極端なばらつきを生じることがない。
本発明に係るアルバム作成用の画像編集装置は、基本的に以上のように構成される。
【０１０８】
次に、本発明に係る被写体個人別画像注文シート作成用の画像編集装置について説明する。
図１５に示す画像編集装置９０は、被写体個人別プリント（画像）注文シートを作成する際の画像の編集を行うための画像編集装置であって、画像メモリ９１と、画像検索部９２と、画像読取部９３と、画像処理部９４と、画像合成部９５と、画像出力部９６と、表示部９７とを有する。
なお、画像編集装置９０は、画像編集装置８０と類似した構成を有しているので、類似した構成要素の詳細な説明は省略する。
【０１０９】
ここで、画像メモリ９１は、画像メモリ８１と同様の構成を有する。
画像検索部９２は、画像検索部８２と同様に、特定の被写体のＩＤ情報を用いて画像メモリ９１を検索し、ヒットした、特定被写体の写っている画像を抽出する。この時、団体旅行等を特定するためにその識別情報を用いても良い。また、当該団体旅行等に、家族やグループで参加している場合には、特定の被写体のＩＤ情報の一部を共通にしておき、その共通部分を用いて、あるいは、複数のＩＤ情報を用いて検索しても良い。
画像読取部９３は、画像検索部９２で抽出された画像の画像データおよびこれに関連付けられている撮影情報（ＩＤ情報を含む）を画像メモリ９１から読み出す。
画像処理部９４は、被写体個人が写っている全ての画像の縮小画像、例えばサムネイル画像を作成する。なお、画像処理部９４では、再現画像の仕上がりを良くするための上述したような公知の画像処理を行っても良い。また、画像処理部９４は、それぞれ画像編集装置９０の制御部（ＣＰＵ）を兼ねていても良い。
【０１１０】
画像合成部９５は、被写体個人別プリント（画像）注文シート（以下、単に注文シートという）を作成するために、画像処理部９４で縮小された、特定被写体が写っている画像のサムネイル画像などの縮小画像を編集して、合成する。この時、図１７に示す被写体個人別画像注文用紙１１０のように、特定の被写体の名前の１１１「富士花子様」、団体旅行との表題１１２の「○○旅行写真  ご注文用紙」、各縮小画像１１３の注文番号である「写真番号」１１４の「No.3，No.7，No.26 ，No.30 ，No.34 」および注文枚数記入欄１１５の「写真番号  ご注文枚数」等の文字を編集されたサムネイル画像に合成しておくのが好ましい。もちろん、ラボやショップのマークや名前や線画などを合成しても良い。
【０１１１】
画像出力部９６は、画像合成部９５で、編集、合成された特定被写体に関する縮小画像（画像データ）を持つ注文シートをハードコピー画像である注文用紙１１０として出力する。
表示部９７は、画像検索部９２による検索結果や、画像読取部９３で読み出された画像データの再現画像やその撮影情報（ＩＤ情報など）、画像処理部９４によるサムネイル画像等の縮小画像、画像合成部８５によって合成された注文シート等を表示するためのモニタ（ディスプレイ）である。
【０１１２】
図１７に示すように、画像編集装置９０の画像出力部９６から出力された注文用紙１１０には、特定被写体およびその関係する者が必ず写っている画像のみが選択されているので、注文者は、その中から必要な写真（縮小画像１１３）の番号１１４を確認して、必要な枚数の数字を注文枚数欄１１５に書き込むだけで良い。このため、注文者は、この注文用紙１１０を使うことにより、おびただしい写真の中から個人の写真を探すという手間がなく、極めて容易に必要な写真を必要な枚数だけ注文することができる。なお、表示部８７に表示された注文シート１１０の注文枚数記入欄１１５に入力することにより、注文できるようにしても良い。
【０１１３】
なお、画像出力部９６は、ハードコピー画像である注文用紙１１０として出力するものに限定されず、サムネイル画像１１３を含む注文シート１１０のデータを記録した画像データ記録媒体やインターネットなどの通信手段を介してネット配信するものであっても良い。こうすることにより、画像データ記録媒体中の注文シート１１０やネット配信された注文シート１１０を自己のＰＣ（パーソナルコンピュータ）等のモニタ（ディスプレイ）に表示して、表示された注文シート１１０の複数の縮小画像１１３の中から必要な写真の番号１１４を確認して、必要な枚数を注文枚数記入欄１１５に入力し、ラボやショップに画像データ記録媒体を引き渡し、あるいは再び、インターネットなどで返信して、注文するようにしても良い。
このようなインターネットなどのネットによる注文方法は、本発明の被写体個人別画像注文方法を実施するものであり、さらに写真プリント画像等の注文の手間をさらに省くことができ、さらに簡便に注文することができる。
【０１１４】
以上、本発明に係る画像撮影システム，画像処理システムおよびこれらを接続した画像提供システム、ならびに撮影カメラ、画像編集装置、被写体別画像注文用紙および被写体別画像注文方法を上述した種々の実施例を挙げて、詳細に説明したが、本発明はこれに限定されず、本発明の要旨を逸脱しない範囲において、種々の改良や変更を行ってよいことはもちろんである。
例えば、上記画像提供システムにおいて、テーマパークなどを利用している間に、撮影ユニットが利用者を撮影したら、撮影ユニットやサーバや画像システム側から撮影した画像の縮小画像を、利用者の携帯する携帯電話に送信する。利用者は、携帯電話の表示部に表示された縮小画像を確認して、必要であれば、携帯電話で注文する。他の方法で注文しても良い。こうすることにより、利用者は、プリントの待ち時間費やすことなく、帰る時に、注文した画像のプリントを受け取ることができる。なお、この携帯電話の利用は、画像編集装置における注文方法や本発明のインターネット利用の注文方法においても、適用可能である。
【０１１５】
【発明の効果】
以上、詳細に説明したように、本発明によれば、通信機能を応用してテーマパークのような広い敷地内に多数設置する場合にも有効に機能し得る撮影カメラ、画像撮影システム，画像記録システムおよびこれらを接続してなる画像提供システムを実現できるという効果を奏するものである。
また、本発明によれば、団体での多数の写真等の画像の中から団体用の各人共通なアルバムの作製や個人的な写真を注文する際にも、アルバム作製作業や注文のための写真の選択を、簡便かつ確実に行うことができるばかりか、注文自体も極めて簡便に行うことができる。
【図面の簡単な説明】
【図１】  （ａ）および（ｂ）は、それぞれ本発明に係る画像撮影システムおよび画像提供システムの一実施例の基本的なシステム構成を示す概念図である。
【図２】  図１（ｂ）に示す画像提供システムの一実施例の具体的構成を示すブロック図である。
【図３】  図２に示す撮影ユニットの一実施例の詳細な構成を示すブロック図である。
【図４】  図２に示す撮影ユニットの別の実施例の詳細な構成を示すブロック図である。
【図５】  図２に示す撮影ユニットの別の実施例の詳細な構成を示すブロック図である。
【図６】  図２に示す画像処理システムの一実施例の詳細な構成を示すブロック図である。
【図７】  図６に示す画像処理部の一実施例の詳細な構成を示すブロック図である。
【図８】  本発明に係る撮影システムの一実施例の詳細な構成を示すブロック図である。
【図９】  本発明の撮影システムの他の実施例の詳細な構成を示すブロック図である。
【図１０】  図２に示す撮影システムの一実施例における利用者の操作とこれに対応する撮影ユニット側の動作に関する動作フロー図である。
【図１１】  図２に示す撮影システムの他の一実施例における利用者と撮影ユニットとの間の動作フロー図である。
【図１２】  図２に示すサーバ内の画像メモリに蓄積されている撮影情報の具体的構成例を示す図である。
【図１３】  （ａ）および（ｂ）は、いずれも画像処理システムにおいて表示される画像の一例を示す図である。
【図１４】  本発明に係る画像編集装置の一実施例の概略構成を示すブロック図である。
【図１５】  本発明に係る画像編集装置の他の実施例の概略構成を示すブロック図である。
【図１６】  図１４に示す画像編集装置によるアルバム作成のための画像編集方法の１例のフロー図である。
【図１７】  本発明に係る被写体別画像注文用紙の一実施例の概略図である。
【符号の説明】
１０，１０ａ，１０ｂ，１０ｃ，１０ｄ  撮影システム
１２，１２ａ  利用者の通信デバイス
１２ｂ，１２ｃ  利用者のＩＤカード
１４，１４ａ，１４ｂ  撮影ユニット
１４ｃ，１４ｄ  撮影カメラ
１６  撮影デバイス
１６ａ  （デジタル）カメラ
１６ｂ  撮影部
１８，１８ａ  ユニット側の通信デバイス
２０，２４ａ，８１，９１  画像メモリ
２０ａ，６０  記憶部
２２  画像提供システム
２４  サーバ
２６  画像処理システム
２８，４８  モニタ
３０，３０ａ，３０ｂ，３８，９４  画像処理部
３２，３６  通信制御部
３４，３４ａ，３４ｂ，５０，５２，５２ａ，６２，６２ａ  制御部
３８ａ  画像前処理部
３８ｂ  読取画像メモリ
３８ｃ  画像加工処理部
３８ｄ  合成処理部
３８ｅ  Ｄ／Ａ変換器
３８ｆ  テンプレート画像メモリ
４０  プリント作製部
４０ａ  媒体出力部
４０ｂ  ネット配信部
４２  操作部
４４  撮影情報読取部
４６  画像検索部
５４，７０  変調部
５６，６６，７２，７４  送受信部
５８  復調部
６４  変調回路
６８  復調回路
７６  電力生成回路
８０，９０  画像編集回路
８３，９３  画像読取部
８４  計数部
８５，９５  画像合成部
８６，９６  画像出力部
９７，９７  表示部
１０１〜１０６  表示画像
１１０  被写体個人別画像注文用紙（シート）
１１１  被写体の名前
１１２  表題
１１３  サムネイル（縮小）画像
１１４  写真番号
１１５  注文枚数記入欄
【図１】
0003919437.tif 000002
【図２】
0003919437.tif 000003
【図３】
0003919437.tif 000004
【図４】
0003919437.tif 000005
【図５】
0003919437.tif 000006
【図６】
0003919437.tif 000007
【図７】
0003919437.tif 000008
【図８】
0003919437.tif 000009
【図９】
0003919437.tif 000010
【図１０】
0003919437.tif 000011
【図１１】
0003919437.tif 000012
【図１２】
0003919437.tif 000013
【図１３】
0003919437.tif 000014
【図１４】
0003919437.tif 000015
【図１５】
0003919437.tif 000016
【図１６】
0003919437.tif 000017
【図１７】
0003919437.tif 000018